(57)【要約】      （修正有）【課題】外部アンテナで受信した地上波デジタルテレビ放送信号を携帯電話機内蔵型も含めた携帯型地上波デジタルテレビに非接触で入力するアンテナケーブルを提供する。【解決手段】信号線２の一端に地上波デジタルテレビ放送信号８をコネクタ１を介して入力し前記信号線の他端の先端部分３をコイル状に巻く。前記コイルを携帯型地上波デジタルテレビ４のテレビ電波受信用アンテナ５に通す事により非接触で電磁的に結合し外部アンテナからの信号を携帯型地上波デジタルテレビに入力することができる。【選択図】図１
0003145575.tif 000002
【実用新案登録請求の範囲】
【請求項１】
柔軟な被覆導線を用いた信号線（２）の一端をコネクタ（１）の中心端子に接続する。そして地上波デジタルテレビ放送、ワンセグテレビ放送信号の出力端子（８）に前記コネクタ（１）を接続して放送信号を入力する。前記信号線の他端の先端部分（３）をコイル状に巻く。前記コイル（３）を携帯電話機内蔵型も含めた携帯型地上波デジタルテレビ（４）のテレビ電波受信用アンテナ（５）に通す事により非接触で電磁的に結合しテレビ電波受信用外部アンテナ（６）からの信号を携帯型地上波デジタルテレビに入力することを特徴としたアンテナケーブル。
【請求項２】
携帯電話機内蔵型も含めた携帯型地上波デジタルテレビ（１５）にテレビ電波受信用アンテナがなく内蔵型である場合は請求項１の方式のコイル（１４）を携帯型地上波デジタルテレビ（１５）に密着し一番受信状態が良好な場所に粘着テープ（１６）で貼る。請求項１同様デジタルテレビ放送信号の出力端子（８）にコネクタ（１２）を接続して放送信号を入力する。これにより携帯型地上波デジタルテレビのテレビ電波受信用内蔵アンテナと非接触で電磁的に結合しテレビ電波受信用外部アンテナ（６）からの信号を携帯型地上波デジタルテレビ（１５）に入力することを特徴としたアンテナケーブル。
【請求項３】
請求項１の方式でコイルをアンテナに通した場合にコイルが、しっかりと固定されずに動いてしまい受信性能を悪化させるおそれがある。この対策としてコイル（１９ｃ）をプラスチックスなどの絶縁素材で作られた中空のドーナッツ状の円盤（１９ａ）に取り付けその中空部分にスポンジなどの伸縮性のある軟らかい素材で作った中空の円筒状の固定具（１９ｂ）を通し円筒状固定具をアンテナに通すことでコイル部分を固定化する。請求項１同様デジタルテレビ放送信号の出力端子（８）にコネクタ（１７）を接続して放送信号を入力する。これにより携帯型地上波デジタルテレビのテレビ電波受信用内蔵アンテナと非接触で電磁的に結合しテレビ電波受信用外部アンテナ（６）からの信号を携帯型地上波デジタルテレビ（４）に入力することを特徴としたアンテナケーブル。またアンテナ内蔵型の携帯型地上波デジタルテレビに対しては前記円筒状の固定具（１９ｂ）をはずしコイル（１９ｃ）を取り付けた円盤（１９ａ）だけを請求項２の方式で粘着テープで貼る。
【請求項４】
請求項１及び請求項２の信号線を単芯の直径が０．５ｍｍ程度の自由に曲げられてかつ形状が安定する被覆電線を使用してコイルを作る。前記信号線を使用することによりコイルの形状を最適な形に加工しやすく形状が安定する。これにより請求項１及び請求項２と同様の結果を得るアンテナケーブル。
【請求項５】
請求項４までの色々な形でコイルを形成した複数の信号線（２１、２３等）を色々な組み合わせで前記信号線の他端を地上波デジタルテレビ放送信号接続用コネクタ（２０）に取り付ける。請求項１同様デジタルテレビ放送信号の出力端子（８）にコネクタ（２０）を接続して放送信号を入力する。これにより携帯型地上波デジタルテレビのテレビ電波受信用アンテナと非接触で電磁的に結合しテレビ電波受信用外部アンテナ（６）からの信号を携帯型地上波デジタルテレビに入力することを特徴としたアンテナケーブル。
【考案の詳細な説明】
【技術分野】
【０００１】  本考案は、テレビ電波受信用外部アンテナで受信した地上波デジタルテレビ放送信号を携帯電話機内蔵型も含めた携帯型地上波デジタルテレビに非接触で入力するためのアンテナケーブルに関するものである。
【背景技術】
【０００２】  首都圏では東京２３区以外では携帯型地上波デジタルテレビ（主に携帯電話機内蔵用のワンセグ）の本体付属テレビアンテナではテレビの映りが安定しない。そこでより受信性能の良い外部アンテナからの信号を入力すればテレビの映りは改善されるはずである。しかし多くの台数を占める携帯電話機内蔵の地上波デジタルテレビで外部アンテナ入力端子付は、ほとんど存在しない。【０００３】  従来、外部アンテナ入力端子のない携帯型地上波デジタルテレビに外部アンテナからの信号を入力する方法は、図２に示すように、信号線１０と接続された導電性クリップ１１をテレビ電波受信用アンテナに直接接続して入力している（下記文献参照）。【０００４】
【特許文献１】公開特許公報  特開２００１−２０２８３６
【特許文献２】登録実用新案公報  実用新案登録第３１２９０７３号
【考案の開示】
【考案が解決しようとする課題】
【０００５】  しかしながら、以上の技術を使うには携帯型地上波デジタルテレビのテレビ電波受信用アンテナ全体が導電性の材料で作られている必要がある。しかしこの条件を満たす携帯電話機内蔵型も含めた携帯型地上波デジタルテレビは一部の機種のみである。また受信用アンテナが内蔵型のためテレビ電波受信用アンテナのない携帯型地上波デジタルテレビも存在する。これらの機種では前記技術での外部アンテナからの信号の入力は不可能である。【０００６】  そこで、この考案は、導電性クリップのような部材でテレビ電波受信用アンテナに直接接続せずに非接触で外部アンテナからの信号を入力する方法を技術的課題とする。
【課題を解決するための手段】
【０００７】  以上の課題を解決するために、第一考案は、柔軟な被覆導線を用いた信号線２の一端をコネクタ１の中心端子に接続する。そして地上波デジタルテレビ放送、ワンセグテレビ放送信号の出力端子８に前記コネクタ１を接続して放送信号を入力する。前記信号線の他端の先端部分３をコイル状に巻く。前記コイル３を携帯電話機内蔵型も含めた携帯型地上波デジタルテレビ４のテレビ電波受信用アンテナ５に通す事により非接触で電磁的に結合しテレビ電波受信用外部アンテナ６からの信号を携帯型地上波デジタルテレビに入力することを特徴としたアンテナケーブルである。【０００８】  また、第二考案は、携帯電話機内蔵型も含めた携帯型地上波デジタルテレビ１５にテレビ電波受信用アンテナがなく内蔵型である場合は第一考案の方式のコイル１４を携帯型地上波デジタルテレビ１５に密着し一番受信状態が良好な場所に粘着テープ１６で貼る。第一考案同様デジタルテレビ放送信号の出力端子８にコネクタ１２を接続して放送信号を入力する。これにより携帯型地上波デジタルテレビのテレビ電波受信用内蔵アンテナと非接触で電磁的に結合しテレビ電波受信用外部アンテナ６からの信号を携帯型地上波デジタルテレビ１５に入力することを特徴としたアンテナケーブルである。【０００９】  そして、第三考案は、第一考案の方式でコイルをアンテナに通した場合にコイルが、しっかりと固定されずに動いてしまい受信性能を悪化させるおそれがある。この対策としてコイル１９ｃをプラスチックスなどの絶縁素材で作られた中空のドーナッツ状の円盤１９ａに取り付けその中空部分にスポンジなどの伸縮性のある軟らかい素材で作った中空の円筒状の固定具１９ｂを通し円筒状固定具をアンテナに通すことでコイル部分を固定化する。第一考案同様デジタルテレビ放送信号の出力端子８にコネクタ１７を接続して放送信号を入力する。これにより携帯型地上波デジタルテレビのテレビ電波受信用内蔵アンテナと非接触で電磁的に結合しテレビ電波受信用外部アンテナ６からの信号を携帯型地上波デジタルテレビ４に入力することを特徴としたアンテナケーブルである。またアンテナ内蔵型の携帯型地上波デジタルテレビに対しては前記円筒状の固定具１９ｂをはずしコイル１９ｃを取り付けた円盤１９ａだけを第二考案の方式で粘着テープで貼る。【００１０】  そして、第四考案は、第一考案及び第二考案の信号線を単芯の直径が０．５ｍｍ程度の自由に曲げられてかつ形状が安定する被覆電線を使用してコイルを作る。前記信号線を使用することによりコイルの形状を最適な形に加工しやすく形状が安定する。これにより第一考案及び第二考案と同様の結果を得るアンテナケーブルである。【００１１】  そして、第五考案は、第四考案までの色々な形でコイルを形成した複数の信号線２１、２３等を色々な組み合わせで前記信号線の他端を地上波デジタルテレビ放送信号接続用コネクタ２０に取り付ける。第一考案同様デジタルテレビ放送信号の出力端子８にコネクタ２０を接続して放送信号を入力する。これにより携帯型地上波デジタルテレビのテレビ電波受信用アンテナと非接触で電磁的に結合しテレビ電波受信用外部アンテナ６からの信号を携帯型地上波デジタルテレビに入力することを特徴と��たアンテナケーブルである。
【考案の効果】
【００１２】  第一考案、第二考案、第三考案、第四考案、または第五考案によれば、アンテナケーブルの先端部分をコイル状に巻いたことで、このコイルと携帯型地上波デジタルテレビのテレビ電波受信用アンテナ間で電磁的に結合し外部アンテナからの信号を非接触で携帯型地上波デジタルテレビに入力することができ、テレビの映りが安定して改善される。
【考案を実施するための最良の形態】
【００１３】  本考案は、外部アンテナで受信した地上波デジタルテレビ放送信号を携帯電話機内蔵型も含めた携帯型地上波デジタルテレビに非接触で入力する方法を提供することを目的とする。以下、図面と共に実施例を示して本考案の構成と作用について説明する。
【実施例】
【００１４】  まず各実施例で共通で使用する図１の右側の外部アンテナの部分について説明する。この図でテレビ電波受信用外部アンテナ６からの信号を入力する信号供給源７は使用環境により異なる。例えば壁面アンテナ端子であったりテレビ、ビデオデッキなどのテレビ電波出力端子であったり分配器であったり延長ケーブルであったりする。各実施例のコネクタを矢印Ａの方向にこの信号供給源７の出力端子８に接続して放送信号を入力する。【００１５】  次に図４の右側のアンテナ用固定具付きコイル１９の詳細図について説明をする。通常は中空の円筒状の固定具１９ｂを矢印Ｂ方向にコイル１９ｃを取り付けたドーナッツ状の円盤１９ａの中空部分に通す。そして円筒状固定具１９ｂの中空部分に携帯型地上波デジタルテレビ４のテレビ電波受信用アンテナ５を通す。しかしテレビ電波受信用アンテナが外部になく内蔵型である場合はこの円筒状固定具１９ｂは外して円盤部分１９ａのみを使用する。【００１６】  実施例一は、柔軟な被覆導線を用いた信号線２の一端をコネクタ１の中心端子に接続する。そして地上波デジタルテレビ放送、ワンセグテレビ放送信号の出力端子８に前記コネクタ１を接続して放送信号を入力する。前記信号線の他端の先端部分３をコイル状に巻く。前記コイル３を携帯電話機内蔵型も含めた携帯型地上波デジタルテレビ４のテレビ電波受信用アンテナ５に通す事により非接触で電磁的に結合しテレビ電波受信用外部アンテナ６からの信号を携帯型地上波デジタルテレビに入力することができる。【００１７】  また、実施例二は、携帯電話機内蔵型も含めた携帯型地上波デジタルテレビ１５にテレビ電波受信用アンテナがなく内蔵型である場合は実施例一の方式のコイル１４を携帯型地上波デジタルテレビ１５に密着し一番受信状態が良好な場所に粘着テープ１６で貼る。実施例一同様デジタルテレビ放送信号の出力端子８にコネクタ１２を接続して放送信号を入力する。これにより携帯型地上波デジタルテレビのテレビ電波受信用内蔵アンテナと非接触で電磁的に結合しテレビ電波受信用外部アンテナ６からの信号を携帯型地上波デジタルテレビ１５に入力することができる。【００１８】  そして、実施例三は、実施例一の方式でコイルをアンテナに通した場合にコイルが、しっかりと固定されずに動いてしまい受信性能を悪化させるおそれがある。この対策としてコイル１９ｃをプラスチックスなどの絶縁素材で作られた中空のドーナッツ状の円盤１９ａに取り付けその中空部分にスポンジなどの伸縮性のある軟らかい素材で作った中空の円筒状の固定具１９ｂを通し円筒状固定具をアンテナに通すことでコイル部分を固定化する。実施例一同様デジタルテレビ放送信号の出力端子８にコネクタ１７を接続して放送信号を入力する。これにより携帯型地上波デジタルテレビのテレビ電波受信用内蔵アンテナと非接触で電磁的に結合しテレビ電波受信用外部アンテナ６からの信号を携帯型地上波デジタルテレビ４に入力することができる。またアンテナ内蔵型の携帯型地上波デジタルテレビに対しては前記円筒状の固定具１９ｂをはずしコイル１９ｃを取り付けた円盤１９ａだけを実施例二の方式で粘着テープで貼る。【００１９】  そして、実施例四は、実施例一及び実施例二の信号線を単芯の直径が０．５ｍｍ程度の自由に曲げられてかつ形状が安定する被覆電線を使用してコイルを作る。前記信号線を使用することによりコイルの形状を最適な形に加工しやすく形状が安定する。これにより実施例一及び実施例二と同様の結果を得ることができる。【００２０】  そして、実施例五は、実施例四までの色々な形でコイルを形成した複数の信号線２１、２３等を色々な組み合わせで前記信号線の他端を地上波デジタルテレビ放送信号接続用コネクタ２０に取り付ける。実施例一同様デジタルテレビ放送信号の出力端子８にコネクタ２０を接続して放送信号を入力する。これにより携帯型地上波デジタルテレビのテレビ電波受信用アンテナと非接触で電磁的に結合しテレビ電波受信用外部アンテナ６からの信号を携帯型地上波デジタルテレビに入力することができる。【００２１】  なお、本考案は以上の実施形態に限定されるのではなく、今後、他方式のコネクタが用いられることになっても適用できる。
「実施形態の効果」
構造が非常に簡単なため生産コストを低く抑えることができる。
安定した受信が行えるのでチャンネルの切り替え時間が短くなる。
アンテナケーブルのコイルと受信アンテナの抜き差しは力をかけなくても短時間で簡単に行える。
非接触であるので雷サージなどの高電圧が携帯型地上波デジタルテレビにかかることがなく安全である。
【産業上の利用可能性】
【００２２】  すでに携帯電話機内蔵地上波デジタルテレビ（ワンセグ）は、２０００万台をはるかに超える台数が出荷され多くの人々が利用可能となっているが、室内受信では難視聴地域が多く存在する。本考案によってこの難視聴地域の解消に貢献し、ワンセグの次世代方式、その他新方式のデジタル放送にも対応可能である。したがって産業上の利用可能性は絶大である。
【図面の簡単な説明】
【００２３】
【図１】第一考案の一実施形態を示す図である。
【図２】従来技術を示す図である。
【図３】第二考案の一実施形態を示す図である。
【図４】第三考案の一実施形態を示す図である。
【図５】第五考案の一実施形態を示す図である。
【符号の説明】
【００２４】  １  コネクタ
２  信号線
３  コイル
４  テレビ
５  携帯型地上波テレビのテレビ電波受信用アンテナ
６  地上波デジタルテレビ放送受信用外部アンテナ
７  壁面アンテナ端子などのテレビ信号供給源
８  テレビ信号供給源の出力端子
９  コネクタ
１０  信号線
１１  導電性クリップ
１２  コネクタ
１３  信号線
１４  コイル
１５  テレビ電波受信用アンテナ内蔵型テレビ
１６  粘着テープ
１７  コネクタ
１８  信号線
１９、１９ａ、１９ｂ、１９ｃ  アンテナ用固定具付きコイル
２０  コネクタ
２１  信号線
２２  アンテナ用固定具付きコイル
２３  信号線
２４  コイル
【図１】
0003145575.tif 000003
【図２】
0003145575.tif 000004
【図３】
0003145575.tif 000005
【図４】
0003145575.tif 000006
【図５】
0003145575.tif 000007
【手続補正書】
【提出日】平成20年7月8日(2008.7.8)
【手続補正１】
【補正対象書類名】実用新案登録請求の範囲
【補正対象項目名】全文
【補正方法】変更
【補正の内容】
【実用新案登録請求の範囲】
【請求項１】
コネクタとコイルと両者を接続する信号線とより構成されているアンテナケーブル。
【手続補正２】
【補正対象書類名】明細書
【補正対象項目名】全文
【補正方法】変更
【補正の内容】
【考案の詳細な説明】
【技術分野】
【０００１】  本考案は、テレビ電波受信用外部アンテナで受信した地上波デジタルテレビ放送信号を携帯電話機内蔵型も含めた携帯型地上波デジタルテレビに非接触で入力するためのアンテナケーブルに関するものである。
【背景技術】
【０００２】  従来、外部アンテナ入力端子のない携帯型地上波デジタルテレビに外部アンテナからの信号を入力する方法は、図３に示すように、信号線１５と接続された導電性クリップ１６をテレビ電波受信用アンテナに直接接続して入力している（特許文献１，２参照）。【０００３】
【特許文献１】公開特許公報  特開２００１−２０２８３６
【特許文献２】登録実用新案公報  実用新案登録第３１２９０７３号
【０００４】  首都圏では東京２３区以外では携帯型地上波デジタルテレビ（主に携帯電話機内蔵用のワンセグ）の本体付属テレビアンテナではテレビの映りが安定しない。そこでより受信性能の良い外部アンテナからの信号を入力すればテレビの映りは改善されるはずである。しかし多くの台数を占める携帯電話機内蔵の地上波デジタルテレビで外部アンテナ入力端子付は、ほとんど存在しない。
【考案の開示】
【考案が解決しようとする課題】
【０００５】  しかしながら、以上の技術を使うには携帯型地上波デジタルテレビのテレビ電波受信用アンテナ全体が導電性の材料で作られている必要がある。しかしこの条件を満たす携帯電話機内蔵型も含めた携帯型地上波デジタルテレビは一部の機種のみである。また受信用アンテナが内蔵型のためテレビ電波受信用アンテナのない携帯型地上波デジタルテレビも存在する。これらの機種では前記技術での外部アンテナからの信号の入力は不可能である。【０００６】  そこで、この考案は、導電性クリップのような部材でテレビ電波受信用アンテナに直接接続せずに非接触で外部アンテナからの信号を入力する方法を技術的課題とする。
【課題を解決するための手段】
【０００７】  以上の課題を解決するために、本考案が提供する、コネクタ（１）とコイル（３）と両者（１）、（３）を接続する信号線（２）とより構成されているアンテナケーブルである。
【考案の効果】
【０００８】  本考案によれば、アンテナケーブルの先端部分をコイル状に巻いたことで、このコイルと携帯型地上波デジタルテレビのテレビ電波受信用アンテナ間で電磁的に結合し外部アンテナからの信号を非接触で携帯型地上波デジタルテレビに入力することができ、テレビの映りが安定して改善される。
【考案を実施するための最良の形態】
【０００９】  本考案は、外部アンテナで受信した地上波デジタルテレビ放送信号を携帯電話機内蔵型も含めた携帯型地上波デジタルテレビに非接触で入力するためのアンテナケーブルを提供することを目的とする。図１は、実施例のアンテナケーブルを示す。このアンテナケーブルは、同図に示すように、コネクタ（１）と、コイル（３）と、両者（１）、（３）を接続する信号線（２）とより構成されている。
【実施例】
【００１０】  以下に、このアンテナケーブルの使用例を説明する。図１の右側の外部アンテナの部分について説明する。この図でテレビ電波受信用外部アンテナ６からの信号を入力する信号供給源７は使用環境により異なる。例えば壁面アンテナ端子であったりテレビ、ビデオデッキなどのテレビ電波出力端子であったり分配器であったり延長ケーブルであったりする。本考案のコネクタ１を矢印Ａの方向にテレビ信号供給源７の出力端子８に接続して放送信号を入力する。【００１１】  実施例は、柔軟な被覆導線を用いた信号線２の一端をコネクタ１の中心端子に接続する。そして地上波デジタルテレビ放送、ワンセグテレビ放送信号の出力端子８に前記コネクタ１を接続して放送信号を入力する。前記信号線の他端の先端部分３をコイル状に巻く。前記コイル３を携帯電話機内蔵型も含めた携帯型地上波デジタルテレビ４のテレビ電波受信用アンテナ５に通す事により非接触で電磁的に結合しテレビ電波受信用外部アンテナ６からの信号を携帯型地上波デジタルテレビに入力することができる。【００１２】  他の使用例として、携帯電話機内蔵型も含めた携帯型地上波デジタルテレビ１２にテレビ電波受信用アンテナがなく内蔵型である場合は実施例のコイル３を携帯型地上波デジタルテレビ１２に密着し一番受信状態が良好な場所に粘着テープ１３で貼る。実施例同様デジタルテレビ放送信号の出力端子８にコネクタ９を接続して放送信号を入力する。これにより携帯型地上波デジタルテレビのテレビ電波受信用内蔵アンテナと非接触で電磁的に結合しテレビ電波受信用外部アンテナ６からの信号を携帯型地上波デジタルテレビ１２に入力することができる。【００１３】  なお、本考案は以上の実施形態に限定されるのではなく、今後、他方式のコネクタが用いられることになっても適用できる。
「実施形態の効果」
構造が非常に簡単なため生産コストを低く抑えることができる。
安定した受信が行えるのでチャンネルの切り替え時間が短くなる。
アンテナケーブルのコイルと受信アンテナの抜き差しは力をかけなくても短時間で簡単に行える。
非接触であるので雷サージなどの高電圧が携帯型地上波デジタルテレビにかかることがなく安全である。
【産業上の利用可能性】
【００１４】  すでに携帯電話機内蔵地上波デジタルテレビ（ワンセグ）は、３０００万台をはるかに超える台数が出荷され多くの人々が利用可能となっているが、室内受信では難視聴地域が多く存在する。本考案によってこの難視聴地域の解消に貢献し、ワンセグの次世代方式、その他新方式のデジタル放送にも対応可能である。したがって産業上の利用可能性は絶大である。
【図面の簡単な説明】
【００１５】
【図１】実施例のケーブルの構成とその使用例を示す図である。
【図２】他の使用例を示す図である。
【図３】従来技術を示す図である。
【符号の説明】
【００１６】１  コネクタ
２  信号線
３  コイル
４  テレビ
５  アンテナ
６  アンテナ
７  テレビ信号供給源
８  出力端子
９  コネクタ
１０  信号線
１１  コイル
１２  テレビ
１３  粘着テープ
１４  コネクタ
１５  信号線
１６  導電性クリップ
【手続補正３】
【補正対象書類名】図面
【補正対象項目名】全図
【補正方法】変更
【補正の内容】
【図１】
0003145575.tif 000008
【図２】
0003145575.tif 000009
【図３】
0003145575.tif 000010